(57)【特許請求の範囲】
【請求項１】
透過スクリーンと、
前記透過スクリーンの表面を光により走査して走査範囲内に画像を形成する画像形成部と、
前記画像形成部からの光である走査光を検出するための光検出器と、を備え、
前記透過スクリーンには、前記走査範囲内における前記画像が形成される領域外に、入射された前記走査光を導入する光導入部が設けられ、
前記光導入部は、前記表面に設けられた凹部の一面であって、入射された前記走査光を前記透過スクリーンの側端面に向けて反射させる反射面を有し、
前記光検出器は、前記透過スクリーン内を伝播し該透過スクリーンから出射した前記走査光を受光可能に配置されている画像表示装置。
【請求項２】
前記反射面は、前記表面に対して傾斜する傾斜面であることを特徴とする請求項１に記載の画像表示装置。
【請求項３】
前記反射面は、前記表面に対して傾斜する散乱面であることを特徴とする請求項１に記載の画像表示装置。
【請求項４】
前記光導入部は、前記画像が形成される領域の少なくとも副走査方向の全域に対応する位置に設けられていることを特徴とする請求項３に記載の画像表示装置。
【請求項５】
前記側端面にレンズ構造が設けられていることを特徴とする請求項１〜４のいずれか一項に記載の画像表示装置。
【請求項６】
前記光導入部は、前記画像が形成される領域の主走査方向の一側に設けられていることを特徴とする請求項１〜５のいずれか一項に記載の画像表示装置。
【請求項７】
前記光導入部は、前記画像が形成される領域の副走査方向の走査開始位置及び走査終了位置の少なくとも一方に対応する位置に設けられていることを特徴とする請求項６に記載の画像表示装置。
【請求項８】
前記透過スクリーンは、前記画像が形成される領域にマイクロレンズアレイを有することを特徴とする請求項１〜７のいずれか一項に記載の画像表示装置。
【請求項９】
前記透過スクリーンからの前記画像を形成した光を透過反射部材に導く光学系を更に備えることを特徴とする請求項１〜８のいずれか一項に記載の画像表示装置。
【請求項１０】
請求項９に記載の画像表示装置と、
前記画像表示装置が搭載される物体と、を備える物体装置。
【請求項１１】
光により走査され走査範囲内に画像が形成される透過スクリーンにおいて、
前記走査範囲内における前記画像が形成される領域外に、入射された光を導入する光導入部が設けられ、
前記光導入部は、表面に設けられた凹部の一面であって、前記入射された光を側端面に向けて反射させる反射面を有していることを特徴とする透過スクリーン。
【請求項１２】
スクリーンと、
前記スクリーンの表面を光により走査して走査範囲内に画像を形成する画像形成部と、
前記画像形成部からの光である走査光を検出するための光検出器と、を備え、
前記スクリーンは、
前記走査範囲内における前記画像が形成される領域外に設けられ、入射された前記走査光を導入する光導入部と、
前記光導入部から導入された前記走査光を伝播させる光伝播構造と、
前記光伝播構造を伝播した前記走査光を取り出すための光取り出し部と、を含み、
前記光導入部は、前記表面に設けられた凹部の一面であって、入射された前記走査光を前記スクリーンの側端面に向けて反射させる反射面を有し、
前記光検出器は、前記光取り出し部から取り出された前記走査光を受光可能に配置されている画像表示装置。
【請求項１３】
光により走査され走査範囲内に画像が形成されるスクリーンにおいて、
前記走査範囲内における前記画像が形成される領域外に設けられ、入射された光を導入する光導入部と、
前記光導入部から導入された光を伝播させる光伝播構造と、
前記光伝播構造を伝播した光を取り出すための光取り出し部と、を備え、
前記光導入部は、表面に設けられた凹部の一面であって、入射された光を側端面に向けて反射させる反射面を有することを特徴とするスクリーン。
【発明の詳細な説明】
【技術分野】
【０００１】
本発明は、画像表示装置、物体装置、透過スクリーン及びスクリーンに係り、更に詳しくは、スクリーンを光により走査して画像を形成する画像表示装置、該画像表示装置を備える物体装置、光により走査され画像が形成される透過スクリーン及びスクリーンに関する。
【背景技術】
【０００２】
従来、画像信号に応じて変調された光により対象物を走査して画像を形成する光走査素子と、該光走査素子からの検査用光を受光する光検出器と、を備える画像表示装置が知られている（例えば特許文献１参照）。
【発明の概要】
【発明が解決しようとする課題】
【０００３】
特許文献１に開示されている画像表示装置では、画像品質を安定して向上させることができなかった。
【課題を解決するための手段】
【０００４】
本発明は、透過スクリーンと、前記透過スクリーンの表面を光により走査して走査範囲内に画像を形成する画像形成部と、前記画像形成部からの光である走査光を検出するための光検出器と、を備え、前記透過スクリーンには、前記走査範囲内における前記画像が形成される領域外に、入射された前記走査光を導入する光導入部が設けられ、前記光導入部は、前記表面に設けられた凹部の一面であって、入射された前記走査光を前記透過スクリーンの側端面に向けて反射させる反射面を有し、前記光検出器は、前記透過スクリーン内を伝播し該透過スクリーンから出射した前記走査光を受光可能に配置されている画像表示装置である。
【発明の効果】
【０００５】
本発明によれば、画像品質を安定して向上させることができる。
【図面の簡単な説明】
【０００６】
【図１】一実施形態の画像表示装置の構成を概略的に示す図である。
【図２】光源部を説明するための図である。
【図３】微細凸レンズ構造による拡散作用を説明するための図である。
【図４】図４（Ａ）及び図４（Ｂ）は、それぞれ微細凸レンズによる拡散と干渉性ノイズ発生を説明するための図（その１及びその２）である。
【図５】図５（Ａ）及び図５（Ｂ）は、それぞれ本実施形態の透過スクリーンを説明するための図（その１及びその２）である。
【図６】図６（Ａ）及び図６（Ｂ）は、それぞれ比較例の透過スクリーンに対する光走査を説明するための図（その１及びその２）である。
【図７】図７（Ａ）及び図７（Ｂ）は、それぞれ本実施形態の透過スクリーンに対する光走査を説明するための図（その１及びその２）である。
【図８】図８（Ａ）及び図８（Ｂ）は、それぞれ変形例１の透過スクリーンを説明するための図（その１及びその２）である。
【図９】図９（Ａ）及び図９（Ｂ）は、それぞれ変形例２の透過スクリーンを説明するための図（その１及びその２）である。
【発明を実施するための形態】
【０００７】
以下、一実施形態を説明する。
【０００８】
一実施形態の画像表示装置１０００は、２次元のカラー画像を表示するヘッドアップディスプレイ（ＨＵＤ）であり、図１に装置の全体を説明図的に示す。
【０００９】
画像表示装置１０００は、一例として、車両、航空機、船舶等の移動体に搭載され、該移動体のフロントガラス１０（フロントウインドシールド）を介して該移動体の操縦に必要なナビゲーション情報（例えば速度、走行距離等の情報）を視認可能にする。この場合、フロントガラス１０は、入射された光の一部を透過させ、残部の少なくとも一部を反射させる透過反射部材としても機能する。以下では、移動体に設定されたａｂｃ３次元直交座標系（移動体と共に移動する座標系）を適宜用いて説明する。ここでは、ａ方向は、移動体の左右方向（＋ａ方向が右方向、−ａ方向が左方向）であり、ｂ方向は、移動体の上下方向（＋ｂ方向が上方向、−ｂ方向が下方向）であり、ｃ方向は、移動体の前後方向（−ｃ方向が前方向、＋ｃ方向が後方向）である。以下では、画像表示装置１０００が車両（例えば自動車）に搭載される例を説明する。
【００１０】
図１において、符号１００で示す部分は「光源部」であり、この光源部１００からカラー画像表示用の画素表示用ビームＬＣが出射される。
【００１１】
画素表示用ビームＬＣは、赤（以下「Ｒ」と表示する。）、緑（以下「Ｇ」と表示する。）、青（以下「Ｂ」と表示する。）の３色のビームを１本に合成したビームである。
【００１２】
即ち、光源部１００は、例えば、図２の如き構成となっている。
【００１３】
図２において、符号ＲＳ、ＧＳ、ＢＳで示す光源としての半導体レーザは、それぞれＲ、Ｇ、Ｂのレーザ光を放射する。ここでは、各半導体レーザとして、端面発光レーザとも呼ばれるレーザダイオード（ＬＤ）が用いられている。
【００１４】
符号ＲＣＰ、ＧＣＰ、ＢＣＰで示すカップリングレンズは、半導体レーザＲＳ、ＧＳ、ＢＳから出射される各レーザ光の発散性を抑制する。
【００１５】
カップリングレンズＲＣＰ、ＧＣＰ、ＢＣＰにより発散性を抑制された各色レーザ光束は、アパーチュアＲＡＰ、ＧＡＰ、ＢＡＰにより整形される（光束径を規制される）。
【００１６】
整形された各色レーザ光束はビーム合成プリズム１０１に入射する。
ビーム合成プリズム１０１は、Ｒ色光を透過させＧ色光を反射するダイクロイック膜Ｄ１と、Ｒ・Ｇ色光を透過させＢ色光を反射するダイクロイック膜Ｄ２を有する。
【００１７】
従って、ビーム合成プリズム１０１からは、Ｒ、Ｇ、Ｂの各色レーザ光束が１本の光束に合成されて出射される。
【００１８】
出射される光束は、レンズ１０２により所定の光束径の「平行ビーム」に変換される。
この「平行ビーム」が、画素表示用ビームＬＣである。
【００１９】
画素表示用ビームＬＣを構成するＲ、Ｇ、Ｂの各色レーザ光束は、表示するべき「２次元のカラー画像」の画像信号により（画像データに応じて）強度変調されている。
【００２０】
ここでは、半導体レーザＲＳ、ＧＳ、ＢＳは、光源駆動手段としてのＬＤドライバ１１により、Ｒ、Ｇ、Ｂの各色成分の画像信号により発光強度を変調（直接変調）される。なお、直接変調に代えて、各半導体レーザから出射されたレーザ光を光変調器で変調（外部変調）しても良い。
【００２１】
光源部１００から出射された画素表示用ビームＬＣは、２次元偏向手段６に入射し、２次元的に偏向される。
【００２２】
２次元偏向手段６は、本実施形態では、微小なミラーを「互いに直交する２軸」を揺動軸として揺動するように構成されたものである。
【００２３】
すなわち、２次元偏向手段６は、具体的には、半導体プロセス等で微小揺動ミラー素子として作製されたＭＥＭＳ（Ｍｉｃｒｏ  Ｅｌｅｃｔｒｏ  Ｍｅｃｈａｎｉｃａｌ  Ｓｙｓｔｅｍｓ）ミラーを含む２次元スキャナである。２次元偏向手段６は、コントローラ１２により制御される。以下では、２次元偏向手段６のＭＥＭＳミラーを「揺動ミラー」とも称する
【００２４】
コントローラ１２は、後述するＰＤ１３からの検出信号に基づいて同期信号（画像出力信号）を生成し、ＬＤドライバ１１に出力する。ＬＤドライバ１１は、コントローラ１２からの同期信号に基づいて各半導体レーザを発光させる（点灯する）。
【００２５】
２次元偏向手段は、この例に限らず、他の構成のもの、例えば、１軸の回りに揺動する微小ミラー（例えばＭＥＭＳミラーやガルバノミラー）を２個、揺動方向が互いに直交するように組み合わせたものでも良い。
【００２６】
上記の如く２次元的に偏向された画素表示用ビームＬＣは、走査ミラー７（例えば凹面鏡）に入射し、透過スクリーン８に向けて反射される。
【００２７】
走査ミラー７は、透過スクリーン８上で発生する走査線（走査軌跡）の曲がりを補正するように設計されている。
【００２８】
走査ミラー７により反射された画素表示用ビームＬＣは、２次元偏向手段６による偏向に伴い平行移動しつつ透過スクリーン８に入射し、該透過スクリーン８を２次元的に走査する。つまり、透過スクリーン８は、画素表示用ビームＬＣにより主走査方向及び副走査方向に２次元走査（例えばラスタースキャン）される。
【００２９】
この２次元走査により、透過スクリーン８に中間像としての「２次元のカラー画像」が形成される。ここでは、透過スクリーン８における矩形の画像表示領域（有効走査領域とも呼ぶ）が２次元走査され、該画像表示領域に中間像が形成される（図３参照）。
【００３０】
すなわち、光源部１００、２次元偏向手段６及び走査ミラー７を含んで、透過スクリーン８に中間像（画像）を形成する中間像形成部（画像形成部）が構成されている。
【００３１】
勿論、透過スクリーン８に各瞬間に表示されるのは「画素表示用ビームＬＣが、その瞬間に照射している画素のみ」である。
【００３２】
カラーの２次元画像は、画素表示用ビームＬＣによる２次元的な走査により「各瞬間に表示される画素の集合」として形成される。
透過スクリーン８に、上記の如く「２次元のカラー画像」が形成され、該２次元のカラー画像を形成した画素表示用ビームＬＣ、すなわち透過スクリーン８を透過した光が凹面ミラー９（凹面鏡）に入射し反射される。
【００３３】
図１には示されていないが、透過スクリーン８は、後述するように各画素表示用ビームＬＣを透過させる「微細凸レンズ構造」を画像表示領域に有している。凹面ミラー９は「虚像結像光学系」を構成する。
【００３４】
透過スクリーン８の近傍には、上記中間像形成部からの光である走査光を検出するための光検出器としてのＰＤ１３（フォトダイオード）が配置されている。ＰＤ１３の検出信号は、コントローラ１２に出力される。
【００３５】
凹面ミラー９は、後に詳述するように、水平面に対して傾斜し、かつ湾曲したフロントガラス１０の影響で透過スクリーン８に形成された「２次元のカラー画像」（中間像）の虚像における水平線（横線）が縦に凸形状となる２次元的な歪み及び垂直線（縦線）が横に凸形状となる２次元的な歪みを補正するように設計、配置されている。
【００３６】
「虚像結像光学系」は、前記「カラー画像」の虚像Ｉを結像させる。
虚像Ｉの結像位置の手前側には、フロントガラス１０が配置され、虚像Ｉを結像する光束を、観察者（例えば移動体の操縦者）の側へ反射する。なお、観察者は、フロントガラス１０（透過反射部材）で反射されたレーザ光の光路上のアイボックス（観察者の目の近傍の領域）から虚像を視認する。ここで、アイボックスは、視点の位置の調整をすることなく虚像が視認可能な範囲を意味する。
【００３７】
この反射光により、観察者は虚像Ｉを視認できる。
【００３８】
図１に示す場合には、ａ方向は通常、観察者にとって左右方向であり、この方向を「横方向」とも呼ぶ。そして、横方向（ａ方向）に直交する方向を「縦方向」とも呼ぶ。
【００３９】
透過スクリーン８は、上述の如く、微細凸レンズ構造を画像表示領域に有している。
後述するように、微細凸レンズ構造は「複数の微細凸レンズ（マイクロレンズ）が、画素ピッチに近いピッチで密接して２次元配列された」ものである。すなわち、透過スクリーン８は、マイクロレンズアレイを画像表示領域に有する。
【００４０】
ここでは、複数の微細凸レンズは、凸面が入射面となるように、仮想平面に沿って所定ピッチで２次元配列されている。その具体的な配列形態としては、例えばａ方向（Ｘ方向）を行方向とし、上記仮想平面内でａ方向に直交する一方向（Ｙ方向）を列方向とするマトリクス状の配列や、ハニカム状の配列（ジグザグ状の配列）が挙げられる。
【００４１】
各微細凸レンズの平面形状は、例えば円形、正Ｎ角形（Ｎは３以上の自然数）等である。ここでは、微細凸レンズの各々は、互いに曲率（曲率半径）が等しい。
【００４２】
そして、個々の微細凸レンズは、画素表示用ビームＬＣを等方的に拡散させる機能を持つ。すなわち、各微細凸レンズは、全方位に均等な拡散パワーを持つ。以下に、この「拡散機能」を簡単に説明する。
【００４３】
図３において、符号Ｌ１〜Ｌ４は、透過スクリーン８に入射する４本の画素表示用ビームを示している。
【００４４】
これ等の４本の画素表示用ビームＬ１〜Ｌ４は、透過スクリーン８に形成される画像の４隅に入射する画素表示用ビームであるものとする。
【００４５】
これら４本の画素表示用ビームＬ１〜Ｌ４は、透過スクリーン８を透過すると、ビームＬ１１〜Ｌ１４のように変換される。
【００４６】
仮に、画素表示用ビームＬ１〜Ｌ４で囲まれる断面が横長の４辺形の光束を、透過スクリーン８に入射させると、この光束は「ビームＬ１１〜Ｌ１４で囲まれる断面が横長の４辺形の発散性の光束」となる。
【００４７】
微細凸レンズのこの機能が「拡散機能」である。
【００４８】
「ビームＬ１１〜Ｌ１４で囲まれる発散性の光束」は、このように発散性光束に変換された画素表示用ビームを時間的に集合した結果である。
【００４９】
画素表示用ビームを拡散させるのは「フロントガラス１０により反射された光束が、観察者の目の近傍の広い領域を照射する」ようにするためである。
【００５０】
上記拡散機能が無い場合には、フロントガラス１０により反射された光束が「観察者の目の近傍の狭い領域」のみを照射する。
【００５１】
このため、観察者が頭部を動かして、目の位置が上記「狭い領域」から逸れると、観察者は虚像Ｉを視認できなくなる。
【００５２】
上記のように、画素表示用ビームＬＣを拡散させることにより、フロントガラス１０による反射光束は「観察者の目の近傍の広い領域」を照射する。すなわち、アイボックスを大きくできる。
【００５３】
従って、観察者が「頭を少々動かし」ても、虚像Ｉを確実に視認できる。
【００５４】
以下に、図４（Ａ）及び図４（Ｂ）を参照して、透過スクリーン８の画像表示領域に用いられるマイクロレンズアレイにおける拡散と干渉性ノイズ発生について説明する。
【００５５】
図４（Ａ）において、符号８０２はマイクロレンズアレイを示す。マイクロレンズアレイ８０２は、微細凸レンズ８０１を配列した微細凸レンズ構造を有する。符号８０３で示す「画素表示用ビーム」の光束径８０７は、微細凸レンズ８０１の大きさよりも小さい。すなわち、微細凸レンズ８０１の大きさ８０６は、光束径８０７よりも大きい。なお、説明中の形態例で、画素表示用ビーム８０３はレーザ光束であり、光束中心のまわりにガウス分布状の光強度分布をなす。従って、光束径８０７は、光強度分布における光強度が「１／ｅ２」に低下する光束半径方向距離である。
【００５６】
図４（Ａ）では、光束径８０７は微細凸レンズ８０１の大きさ８０６に等しく描かれているが、光束径８０７が「微細凸レンズ８０１の大きさ８０６」に等しい必要は無い。
微細凸レンズ８０１の大きさ８０６を食み出さなければよい。
図４（Ａ）において、画素表示用ビーム８０３は、その全体が１個の微細凸レンズ８０１に入射し、発散角８０５をもつ拡散光束８０４に変換される。なお、「発散角」は、以下において「拡散角」と呼ぶこともある。
【００５７】
図４（Ａ）の状態では、拡散光束８０４は１つで、干渉する光束が無いので、干渉性ノイズは発生しない。なお、発散角８０５の大きさは、微細凸レンズ８０１の形状により適宜設定できる。
【００５８】
図４（Ｂ）では、画素表示用ビーム８１１は、光束径が微細凸レンズの配列ピッチ８１２の２倍となっており、２個の微細凸レンズ８１３、８１４に跨って入射している。この場合、画素表示用ビーム８１１は、入射する２つの微細凸レンズ８１３、８１４により２つの発散光束８１５、８１６のように拡散される。２つの発散光束８１５、８１６は、領域８１７において重なり合い、この部分で互いに干渉して干渉性ノイズを発生する。
【００５９】
上に説明したヘッドアップディスプレイは、上述の如く、例えば、自動車等の車載用として用いることができ、ａ方向は「運転席から見て横方向」、ｂ方向は「縦方向」である。
【００６０】
この場合、自動車等のフロントガラス１０前方に虚像Ｉとして、例えば「ナビゲーション画像」を表示でき、観察者である運転者は、この画像を運転席に居ながらフロントガラス１０前方から視線をほとんど動かさずに観察できる。
【００６１】
このような場合、上述の如く、表示される虚像Ｉは「運転者から見て横長の画像」であること、即ち、マイクロレンズアレイに形成される画像（中間像）および、虚像Ｉは、ａ方向に画角の大きい画像であることが一般に好ましい。
【００６２】
また、上述の如く、観測者である運転者が、左右斜め方向から表示画像を見た場合にも、表示を認識できるように、横方向には「縦方向に比して大きな視野角」が要求される。
このため、虚像Ｉの長手方向（ａ方向）には短手方向（ｂ方向）に比して大きな拡散角（非等方拡散）が要求される。
【００６３】
従って、微細凸レンズ構造（マイクロレンズアレイ）の各微細凸レンズ（マイクロレンズ）を、透過スクリーン８に形成された中間像もしくは虚像Ｉの短手方向よりも長手方向の方の曲率が大きいアナモフィックなレンズとし、画素表示用ビームを拡散させる拡散角を「中間像の横方向を縦方向よりも広く」するのが好ましい。
【００６４】
このようにして、ヘッドアップディスプレイの要求画角を満たす必要最小限の範囲に光を発散させ、光の利用効率を向上させ、表示画像の輝度を向上させることが可能である。
【００６５】
勿論、上記のような「非等方拡散」ではなく、縦方向と横方向で拡散角が等しい「等方拡散」とする場合も可能である。
しかし、自動車等の車載用として用いるヘッドアップディスプレイの場合であれば、運転者が表示画像に対して上下方向の位置から観察を行なう場合はすくない。
従って、このような場合であれば、上記のように、画素表示用ビームを拡散させる拡散角を「中間像の横方向を縦方向よりも広く」するのが光利用効率の面から好ましい。
【００６６】
微細凸レンズ（マイクロレンズ）は、そのレンズ面を「非球面」として形成できることが従来から知られている。
【００６７】
直上に説明したアナモフィックなレンズ面も「非球面」であるが、微細凸レンズのレンズ面をより一般的な非球面として形成でき、収差補正を行なうこともできる。
【００６８】
収差の補正により「拡散の強度ムラ」を低減することも可能である。
【００６９】
微細凸レンズ構造の微細凸レンズは、上記の如く画素表示用ビームを拡散させるものであるが、ｘ方向、ｙ方向の２方向のうち、１方向のみの拡散を行なう場合も考えられる。
【００７０】
このような場合には、微細凸レンズのレンズ面として「微細凸シリンダ面」を用いることができる。
【００７１】
なお、微細凸レンズの形状を、六角形状とすることや、その配列をハニカム型配列とすることは、従来から、マイクロレンズアレイの製造方法に関連して知られている。
【００７２】
以下に、透過スクリーン８の全体的な構成について詳細に説明する。図５（Ａ）には、透過スクリーン８の平面図が示されている。図５（Ｂ）には、図５（Ａ）のＡ−Ａ線断面図が示されている。
【００７３】
透過スクリーン８は、一例として図５（Ａ）に示されるように、ａ方向を長手方向とする略矩形板状の基材の所定領域（画像表示領域）に上記微細凸レンズ構造としてのマイクロレンズアレイが形成された部材である。以下では、透過スクリーン８に設定したＸＹＺ３次元直交座標系（Ｘ方向がａ方向に一致、Ｙ方向が透過スクリーン８の表面内でＸ方向に直交する方向）を適宜用いて説明する。ここではＸ方向が主走査方向、Ｙ方向が副走査方向である。
【００７４】
透過スクリーン８の基材の材料としては、例えば透明樹脂材料、透明ガラス材料などの光透過性を有する材料（好ましくは空気よりも屈折率が大きい材料）が用いられている。
【００７５】
透過スクリーン８の走査範囲内であって画像表示領域の外側の所定位置には、入射された走査光（サンプリング光）を透過スクリーン８の内部に導入する光導入部８ａが設けられている。なお、「走査範囲」は、２次元偏向手段６により光走査される画像表示領域を含む全領域を意味する。
【００７６】
詳述すると、光導入部８ａは、図５（Ａ）及び図５（Ｂ）から分かるように、透過スクリーン８における画像表示領域の−Ｘ側かつ＋Ｙ側の角部の−Ｘ側近傍に（該角部に隣接する位置に）、２次元偏向手段６による走査開始位置である画像表示領域の−Ｙ側の辺の延長線に交差してＹ軸方向に延びるように形成されたＸＺ断面が三角形（例えば直角三角形）の傾斜溝（傾斜凹部）である。
【００７７】
この傾斜溝は、透過スクリーン８の−Ｘ側の側端面に対向する、ＸＹ平面に対して傾斜する傾斜面を有している。この傾斜面は、−Ｚ側から入射された走査光を−Ｘ側に向けて反射する反射面として機能する。
【００７８】
この傾斜面は、透過スクリーン８の基材の樹脂成型面やガラス成形面をそのまま利用しても良いし、反射率を高めるための鏡面加工や反射膜コートを施しても良い。
【００７９】
光導入部８ａの傾斜面（反射面）に入射した走査光は、−Ｘ側に反射され透過スクリーン８内を多重反射しながら−Ｘ方向に伝播（導波）する。
【００８０】
透過スクリーン８を−Ｘ方向に伝播した光は、透過スクリーン８の−Ｘ側の側端面（例えば透過スクリーン８の基材の樹脂成形端面やガラス成形端面）における光導入部８ａの−Ｘ側の所定箇所から出射される（取り出される）。そこで、この所定箇所を「光取り出し部８ｂ」とも称する。
【００８１】
なお、光導入部８ａは、照射された（入射された）走査光の進行方向を光取り出し部８ｂに向ける機能を有すれば良く、上記傾斜面に代えて、微細な凹凸が形成されたＸＹ平面に対して傾斜する散乱面であっても良い。
【００８２】
また、光取り出し部８ｂは、透過スクリーン８内を伝播する走査光を出射できれば良く、上述のように樹脂成形端面やガラス成形端面をそのまま利用しても良いし、検出感度を上げるためにＰＤ１３の受光感度や受光面の大きさに合わせたレンズ構造にしても良い。
【００８３】
ＰＤ１３は、光取り出し部８ｂから出射した走査光を受光可能に配置されている。詳述すると、ＰＤ１３は、光取り出し部８ｂの−Ｘ側に受光面を＋Ｘ側に向けた状態で、透過スクリーン８と共にスクリーン取り付け冶具に固定されている（図７（Ａ）及び図７（Ｂ）参照）。
【００８４】
ここで、比較例の画像表示装置（例えばＨＵＤ）による透過スクリーン上における画像の描画について説明する。図６（Ａ）には、比較例の透過スクリーンの平面図が示されている。図６（Ｂ）には、図６（Ａ）のＡ´−Ａ´断面図が示されている。
【００８５】
比較例では、図６（Ａ）及び図６（Ｂ）に示されるように、スクリーン取り付け冶具上に、透過スクリーンと、２次元スキャナによるレーザ光の走査タイミングを検出するためのＰＤ（フォトダイオード）が取り付けられている。このＰＤの受光面は、透過スクリーンの入射面と同じ側（−Ｚ側）を向いており、該レーザ光は２次元スキャナによってＰＤと透過スクリーンの画像描画領域（画像表示領域）を含む範囲で走査される。この際、ＰＤ上を走査したときの該ＰＤの検出信号に基づいて、光源としてのＬＤ（レーザダイオード）への同期信号（画像出力信号）の出力タイミングが調整される。
【００８６】
この場合、ＰＤと透過スクリーンとのスクリーン取り付け冶具に対する取り付け位置のずれに応じて、ＰＤが光を検出したタイミングと描画開始のタイミングをずらす必要があるため、画像表示装置の個体ごとに走査開始タイミングのキャリブレーションが必要になる。また、ＰＤと画像描画領域とを含む範囲を走査する必要があるため、画像出力に利用できる時間の割合が減少し、画像の輝度が低下してしまう。
【００８７】
一方、本実施形態では、図７（Ａ）及び図７（Ｂ）に示されるように、走査範囲は、光導入部８ａと画像表示領域を含み、ＰＤ１３の位置は含まれない。また、ＰＤの受光面は、透過スクリーン８の−Ｘ側の端面側（＋Ｘ側）を向いている。
【００８８】
そこで、光導入部８ａに入射した走査光は、傾斜面で−Ｘ側に反射され、透過スクリーン８の内部を多重反射しながら伝播（導波）し、光取り出し部８ｂから出射し、ＰＤ１３で受光、検出される。
【００８９】
この場合、レーザ光の検出タイミングは光導入部８ａの位置で決まるため、透過スクリーン８とＰＤ１３の取り付け位置のばらつきによらず高い精度でビーム位置を検出できる。また、走査範囲も画像表示領域と光導入部８ａを含む範囲で良いため、画像出力可能な時間を十分に確保し、輝度の高い画像出力が可能になる。
【００９０】
以上説明した本実施形態の画像表示装置１０００（ヘッドアップディスプレイ）は、透過スクリーン８と、該透過スクリーン８の表面を光により走査して走査範囲内に画像を形成する画像形成部と、該画像形成部から光である走査光を検出するための光検出器としてのＰＤ１３と、を備え、透過スクリーン８には、走査範囲内における画像が形成される領域（画像表示領域）外に、入射された走査光を導入する光導入部８ａが設けられ、ＰＤ１３は、透過スクリーン８内を伝播し該透過スクリーン８から出射した走査光を受光可能に配置されている。
【００９１】
この場合、走査光の位置を検出する基準となる画像表示領域と光導入部８ａとの位置関係が不変なため、透過スクリーン８とＰＤ１３との位置関係（組み付け時の位置ずれや経時変化による位置ずれを含む）にずれが生じても、走査光の位置を精度良く検出できる。
【００９２】
この結果、画像品質を安定して向上させることができる。
【００９３】
一方、特許文献１の画像表示装置では、光走査素子とフォトディテクタ（光検出器）との位置関係（組み付け時の位置ずれや経時変化による位置ずれを含む）にずれが生じると、走査光の位置を精度良く検出できず、ひいては画像品質を安定して向上させることができない。
【００９４】
また、特許文献１では、光走査素子とフォトディテクタとを高い位置精度で実装する必要があるため、実装コストが増加する点や、ビーム走査領域を画像表示領域より広く取る必要があるため画像形成に寄与しない無駄な走査時間が発生し、画像の明るさ（輝度）が確保しにくいなどの問題がある。
【００９５】
また、透過スクリーン８では、光導入部８ａを画像表示領域の近傍に設けることができ、画像表示領域の直近で走査光の位置の検出が可能になる。このため、走査光の位置に対して精度良く画像出力信号（同期信号）を生成することが可能であり、かつ画像表示領域に対して走査範囲をあまり広げずにすむため、無駄な走査時間を削減し、画像の明るさ（輝度）を確保することが可能になる。
【００９６】
また、透過スクリーン８は、光透過性を有する材料からなるため、表面に光導入部８ａ（例えば傾斜溝）を設けるだけの簡素な構成により、走査光を導入し内部を伝播させ出射させることができる。そして、透過スクリーン８は、透明樹脂材料や透明ガラス材料を用いたモールド成型等により容易に製造することできる。
【００９７】
また、光導入部８ａは、透過スクリーン８の表面に設けられた傾斜凹部（傾斜溝）の一面であって、入射された走査光を透過スクリーン８の側端面に向けて反射させる反射面を有するため、該走査光を確実に該側端面から出射させることができる。
【００９８】
また、光導入部８ａの反射面が透過スクリーン８の表面に対して傾斜する傾斜面である場合、入射された走査光を効率（光利用効率）良く、透過スクリーン８の側端面の狭範囲から出射させることができる。この結果、ＰＤ１３に安定した光量の走査光を入射させることができる。
【００９９】
また、光導入部８ａの反射面が透過スクリーン８の表面に対して傾斜する散乱面である場合、入射された走査光を透過スクリーン８の側端面の広範囲から出射させることができる。この結果、ＰＤ１３と透過スクリーン８との間の位置ずれが多少大きくてもＰＤ１３に走査光を入射させることができる。
【０１００】
また、透過スクリーン８の側端面にレンズ構造が設けられている場合、走査光をＰＤ１３に安定して入射（集光）させることができる。
【０１０１】
また、光導入部８ａは、画像表示領域の主走査方向の一側に設けられているため、副走査方向の走査範囲の拡大を極力抑制できる。副走査方向では、通常、主走査方向よりも走査速度が遅いので、副走査方向の走査範囲の拡大は主走査方向の走査範囲の拡大に比べて、多くの無駄な走査時間を要することになり、画像の輝度の低下につながる。
【０１０２】
また、光導入部８ａは、画像表示領域の副走査方向の走査開始位置に対応する位置に設けられているため、少なくとも副走査方向の走査開始タイミングと画像出力タイミングのずれを検出することが可能になるため、画質を改善できる。
【０１０３】
また、透過スクリーン８は、画像表示領域にマイクロレンズアレイを有するため、画像品質（虚像の視認性）の更なる向上を図ることができる。
【０１０４】
また、画像表示装置１０００は、透過スクリーン８からの画像を形成した光を透過反射部材に導く凹面ミラー９（光学系）を更に備えるため、拡大されかつ歪みが抑制された虚像Ｉを透過反射部材を介して視認可能とすることができる。
【０１０５】
また、画像表示装置１０００と該画像表示装置１０００が搭載される移動体とを備える移動体装置では、観察者（例えば移動体の操縦者）がストレスなく迅速かつ確実に虚像Ｉを視認できる。
【０１０６】
また、透過スクリーン８は、光により走査され走査範囲内に画像が形成される透過スクリーンであり、走査範囲内における画像が形成される領域外に、入射された光を導入する光導入部８ａが設けられている。
【０１０７】
この場合、走査光の位置の検出の正確な基準となるサンプリング光（走査光）を出射させることができる。
【０１０８】
ところで、揺動ミラーでレーザ光を偏向走査する際のタイミングは、副走査方向の位置によってわずかにずれる場合があり、例えば副走査方向に直線のパターンを描画する場合に直線が波打った形になることがある。
【０１０９】
そこで、図８（Ａ）及び該図８（Ａ）のＢ−Ｂ線断面図である図８（Ｂ）に示される変形例１では、副走査方向の位置による走査タイミングのずれを検出するため、光導入部１８ａを画像表示領域の副走査方向の全域に対応する位置を含むように形成している。なお、図８（Ａ）及び図８（Ｂ）では、スクリーン取り付け治具の図示が省略されている。
【０１１０】
詳述すると、光導入部１８ａは、画像表示領域の−Ｘ側の辺に沿って、該辺よりも＋Ｙ側及び−Ｙ側に突き出すようにＹ軸方向に細長く形成されている。
【０１１１】
ここでは、光導入部１８ａにおけるＹ軸方向の任意の位置から導入されたサンプリング光がＰＤ１３に到達するよう、光導入部１８ａ（傾斜溝）の反射面を微細な凹凸が形成された傾斜した散乱面としている。また、ここでは、ＰＤ１３は、透過スクリーンの−Ｘ側の端面のＹ軸方向中央部の−Ｘ側近傍の位置に配置されているが、この位置からＹ軸方向にずれた位置に配置されても良い。
【０１１２】
なお、変形例２では、光導入部１８ａを、画像表示領域の副走査方向の全域に対応する位置を含むように形成しているが、これに限らず、要は、少なくとも画像表示領域の副走査方向の全域に対応する位置に設けられれば良い。
【０１１３】
また、図９（Ａ）及び該図９（Ａ）のＣ−Ｃ線断面図である図９（Ｂ）に示される変形例２のように、２つの光導入部２８ａ、２８ｂを、画像表示領域の副走査方向の走査開始位置（画像表示領域の＋Ｙ側の辺）及び走査終了位置（画像表示領域の−Ｙ側の辺）に対応する２つの位置に個別に形成しても良い。これら２つの位置間でのサンプリング光の検出タイミングを測定すれば、副走査方向の移動範囲と画像出力信号のタイミングをより正解に調整し、画質を改善することが可能になる。なお、図９（Ａ）及び図９（Ｂ）では、スクリーン取り付け治具の図示が省略されている。
【０１１４】
変形例２では、各光導入部の反射面は、傾斜溝の傾斜面でも良いし、傾斜溝の傾斜した散乱面でも良い。ＰＤ１３を、２つの光導入部２８ａ、２８ｂの−Ｘ側に１つずつ設けても良いし、２つの光導入部２８ａ、２８ｂの中央の−Ｘ側に１つ設けても良い。
【０１１５】
なお、変形例２では、光導入部は、画像表示領域の副走査方向の走査開始位置及び走査終了位置に対応する２つの位置に設けられているが、これに限らず、要は、これら２つの位置の少なくとも一方に設けられれば良い。
【０１１６】
また、変形例２では、２つの光導入部２８ａ、２８ｂが設けられているが、例えば、これら２つの光導入部２８ａ、２８ｂ間に少なくとも１つの光導入部を設けても良い。
【０１１７】
また、変形例２では、各光導入部は、Ｙ軸方向に延びているが（傾斜面や散乱面が−Ｘ側を向いているが）、これに限らず、特に、ＰＤ１３を１つだけ用いる場合には、複数（例えば２つ）の光導入部の少なくとも１つを、傾斜面又は散乱面がＰＤ１３側を向くようにＹ軸方向に傾斜する方向に延びるように形成しても良い。この場合、ＰＤ１３に、効率良く走査光を入射させることができる。
【０１１８】
また、上記実施形態及び各変形例では、光導入部は、画像表示領域の−Ｘ側（主走査方向の一側）に設けられているが、これに代えて又は加えて、画像表示領域の＋Ｘ側（主走査方向の他側）に設けても良い。この場合、透過スクリーンの＋Ｘ側にＰＤを配置することが好ましい。
【０１１９】
また、上記実施形態及び各変形例において、光導入部の反射面に曲率を持たせても良い。要は、光導入部は、スクリーン（透過スクリーンや反射スクリーン）の表面の走査範囲内における画像表示領域外に設けられた凹部であって、入射された走査光を該スクリーンの側端面に向けて反射させる反射面を一面とする凹部であることが好ましい。
【０１２０】
また、上記実施形態及び各変形例では、光導入部は、画像表示領域の−Ｘ側（主走査方向の一側）に設けられているが、これに代えて又は加えて、画像表示領域の＋Ｙ側（副走査方向の一側）及び−Ｙ側（副走査方向の他側）の少なくとも一方に設けても良い。この場合、透過スクリーンの＋Ｙ側及び−Ｙ側の少なくとも一方にＰＤを配置することが好ましい。
【０１２１】
また、上記実施形態及び各変形例では、光導入部から導入され透過スクリーン内を伝播した走査光を透過スクリーンの側端面から取り出しているが、これに限らず、例えば、透過スクリーンの表面又は裏面に光取り出し部を設け、該光取り出し部から走査光を取り出すようにしても良い。この光取り出し部としては、光導入部の傾斜溝の反射面からの走査光の伝播経路上に位置する、該反射面とは逆方向に傾斜する反射面（傾斜面や傾斜した散乱面）を有する傾斜溝が挙げられる。この場合に、該傾斜溝の反射面で反射された走査光を受光可能な位置（透過スクリーンの表面側や裏面側）にＰＤを配置することが好ましい。
【０１２２】
また、上記実施形態及び各変形例では、光により走査されるスクリーンとして、光透過性を有する材料からなる透過スクリーンがそのまま用いられているが、これに限られない。
【０１２３】
例えば、透過スクリーンの画像表示領域の全域に反射膜が形成された反射スクリーンを用いても良い。
【０１２４】
また、光により走査されるスクリーンとして、走査範囲内における反射面で構成される画像表示領域の外側に設けられた光導入部と、該光導入部から導入された光を伝播させるための光伝播構造と、該光伝播構造を伝播した光を取り出すための光取り出し部とが設けられた反射スクリーンであっても良い。そこで、この反射スクリーンを備える画像表示装置を提供することもできる。
【０１２５】
この反射スクリーンの光伝播構造としては、例えば光の少なくとも一部を反射させる材料で形成された筒状の構造（光伝播路）であっても良いし、光の少なくとも一部を反射させる一対の反射面間で光を伝播させる構造であっても良い。この場合、光伝播構造を反射スクリーンの側端面で終端させ、該側端面に光取り出し部としての光透過窓（又はレンズ構造）を設けることが好ましい。また、反射面を有する傾斜溝及び光透過窓（又はレンズ構造）を含む光取り出し部を反射スクリーンの表面又は裏面に設け、かつ光伝播構造を該光取り出し部で終端させても良い。
【０１２６】
なお、上記実施形態及び各変形例では、複数の光源を用いてカラー画像を形成しているが、単一の光源を用いてモノクロ画像を形成しても良い。
【０１２７】
また、上記実施形態及び各変形例では、透過スクリーンの画像形成領域に微細凸レンズ構造（マイクロレンズアレイ）を設けているが、これに限らず、例えば、ランダムな凹凸構造を有する拡散板を設けても良い。この場合も、スペックルノイズの発生をある程度抑制できる。この拡散板は、透過型でも反射型でも良い。
【０１２８】
また、上記実施形態及び各変形例では、スクリーンに２次元偏向手段を用いて２次元走査して２次元画像を形成しているが、例えば、ＭＥＭＳミラー、ガルバノミラー、ポリゴンミラー等を含む１次元偏向手段を用いて１次元走査して１次元画像を形成しても良い。
【０１２９】
また、上記実施形態及び各変形例では、光源として、ＬＤ（端面発光レーザ）を用いているが、これに限らず、ＶＣＳＥＬ（面発光レーザ）、半導体レーザ以外のレーザ、レーザ以外の光源を用いても良い。
【０１３０】
また、上記実施形態及び各変形例では、光検出器として、フォトダイオードが用いられている、これに限らず、例えばフォトトランジスタ等を用いても良い。
【０１３１】
また、上記実施形態及び各変形例において、光源からの光を透過スクリーン８に導く光学系も適宜変更可能である。例えば、走査ミラー７を省略しても良い。この場合、２次元偏向手段６で偏向された光を透過スクリーン８に直接入射させても良い。
【０１３２】
また、上記実施形態及び各変形例において、走査ミラー７として凹面鏡の代わりに、平面鏡を設けても良い。
【０１３３】
また、上記実施形態及び各変形例において、凹面ミラー９に代えて又は加えて、平面ミラーや凸面ミラーを設けても良い。
【０１３４】
また、上記実施形態及び各変形例では、透過スクリーン８上の中間像（画像表示領域）は、矩形であるが、これに限らず、例えば円形、楕円形、正方形等の矩形以外の平行四辺形、五角形以上の正多角形であっても良い。
【０１３５】
また、透過反射部材は、移動体のフロントガラスに限らず、例えばサイドガラス、リアガラス等の移動体の搭乗者（例えば操縦者、ナビゲータ、乗組員、乗客等）が移動体の外部を視認するための他の窓部材であっても良い。また、透過反射部材は、ガラス製のものに限らず、例えば樹脂製であっても良い。また、透過反射部材の形状も適宜変更可能である。
【０１３６】
また、透過反射部材は、例えば、いわゆるコンバイナのように、移動体の窓部材（例えばフロントガラス）とは別の部材で構成され、観察者から見て該窓部材よりも手前に配置されていても良い。
【０１３７】
また、上記実施形態及び各変形例では、画像表示装置は、例えば車両、航空機、船舶等の移動体に搭載されるものを一例として説明したが、要は、物体に搭載されるものであれば良い。この場合も、物体と、該物体に搭載された画像形成装置とを備える物体装置では、上記実施形態及び各変形例と同様の効果が得られる。この場合、画像表示装置は、透過反射部材を構成要素として備えていても良いし、備えていなくても良い。なお、「物体」は、移動体の他、恒常的に設置されるものや運搬可能なものを含む。
【０１３８】
また、本発明の画像表示装置は、物体に搭載されるものに限らず、例えば、単独で設置されるものや人体に装着可能なもの（例えばヘッドマウントディスプレイ）にも応用可能である。例えば、映画鑑賞用の画像表示装置としても実施可能である。
【０１３９】
以下に、本発明の発明者が上記実施形態及び各変形例を発案する至った思考プロセスを説明する。
【０１４０】
近年、運転者が少ない視線移動で警報・情報を認知できるアプリケーションとして市場の期待が高まっている、車両に搭載されるＨＵＤ（ヘッドアップディスプレイ）の技術開発が進んでいる。特に、ＡＤＡＳ（Ａｄｖａｎｃｅｄ  Ｄｒｉｖｉｎｇ  Ａｓｓｉｓｔａｎｃｅ  Ｓｙｓｔｅｍ）という言葉に代表される車載センシング技術の進展に伴い、車両はさまざまな走行環境情報および車内乗員の情報を取り込むことができるようになっており、それらの情報を運転者に伝える「ＡＤＡＳの出口」としてもＨＵＤが注目されている。
【０１４１】
ＨＵＤの投射方式は、液晶やＤＭＤのようなイメージングデバイスで中間像を表現する「パネル方式」と、半導体レーザから出射したレーザビームを偏向ミラーを含む２次元走査デバイスで走査し中間像を形成する「レーザ走査方式」がある。特に、後者のレーザ走査方式は、全画面発光の部分的遮光で画像を形成する前者のパネル方式とは違い、各画素に対して発光／非発光を割り当てることができるため、一般に高コントラストの画像を形成することができる。
【０１４２】
ところで、偏向ミラーを用いたレーザ走査方式のＨＵＤにおいて、偏向ミラーを動作させるタイミングと画像出力のタイミング（レーザ点灯タイミング）のずれにより、画質が劣化する問題がある。
【０１４３】
この問題に対し、（１）偏向ミラーに角度検出のためのセンサー構造を追加する方法、（２）偏向ミラーで反射された光の一部を画像形成領域の外側に置いたフォトディテクタで検出し、フォトディテクタの位置と検出信号から、画像出力のタイミングを補正する方法などが検討されているが、（１）では偏向ミラーの構造が複雑になり、適切なコストで製造することが難しくなる点、（２）ではフォトディテクタを高い位置精度で実装したり、実装後に検出タイミングのキャリブレーション工程が必要であったり、画像に無関係の領域まで走査領域を広げる必要があるため、画像出力に利用できる時間が短くなり、輝度が確保しにくいなどの問題があった。
【０１４４】
そこで、発明者は、レーザ走査方式のＨＵＤの画像の品質を改善するため、高い精度でビームの位置を検出し、かつ画像の明るさを確保するために上記実施形態及び各変形例を発案するに至った。
【符号の説明】
【０１４５】
６…２次元偏向手段（画像形成部の一部）、７…走査ミラー（画像形成部の一部）、８…透過スクリーン（画像形成部の一部）、８ａ…光導入部、８ｂ…光取り出し部、９…凹面ミラー（光学系）、１０…フロントガラス（透過反射部材）、１３…ＰＤ（光検出器）、１００…光源部（画像形成部の一部）、１０００…画像表示装置。
【先行技術文献】
【特許文献】
【０１４６】
【特許文献１】特開２００９‐０１４７９１号公報
【図１】
0006455802.tif 000002
【図２】
0006455802.tif 000003
【図３】
0006455802.tif 000004
【図４】
0006455802.tif 000005
【図５】
0006455802.tif 000006
【図６】
0006455802.tif 000007
【図７】
0006455802.tif 000008
【図８】
0006455802.tif 000009
【図９】
0006455802.tif 000010